(57)【要約】【課題】作用する水圧で発生する応力集中によって凹部底との弾接力に不均等が生じることがなく、優れた止水性を発揮し、しかも大きな弾性吸収代で止水範囲が拡大し、低水圧の時の止水性も向上する利便な密閉栓用のパッキンを提供する【解決手段】  パッキン本体ｂ’内周面にリブｂ４を環状に突設し、該リブｂ４をセット用凹部５４の凹底面に弾接してセット用凹部５４に弾嵌着して、負荷荷重とパッキンＢの弾性変形力とによる応力集中をその弾性変形でより圧縮されるリブｂ４で吸収する。開栓時のパッキンＢがリブｂ４を支点にして排水口１００回りの止水面２１に対応する周縁部下面部分を下端とする下向き傾斜状に変化し、その分、弾性吸収代を大きくして、パッキンとしての本来の止水性能を向上する。【選択図】  図３
2005188699.tif 000002
【特許請求の範囲】
【請求項１】
栓体の裏側に設けられた側方を開放部とするセット用凹部に弾嵌着され、止水面に密接して止水するパッキンであって、パッキン本体の内周面にリブを環状をもって突設し、該リブを前記セット用凹部の凹底面に弾接してセット用凹部に弾嵌着することを特徴とするパッキン。
【請求項２】
前記リブが円弧状表面を有していることを特徴とする請求項１記載のパッキン。
【請求項３】
前記栓体が浴槽、洗面器、流し台等の容体の排水口用の密閉栓であることを特徴とする請求項１または２記載のパッキン。
【請求項４】
前記パッキン本体の内周面から前記リブを突設していることを特徴とする請求項３記載のパッキン。
【請求項５】
前記リブがパッキン本体の内周面上側域から突設していることを特徴とする請求項４記載のパッキン。
【請求項６】
前記栓体がスラストロック機構のロック、ロック解除で開栓、閉栓するものであることを特徴とする請求項１〜５いずれか１項記載のパッキン。
【発明の詳細な説明】
【技術分野】
【０００１】
本発明はパッキン、更に詳しくは密閉栓の止水性を向上させるパッキンに関するものである。
【背景技術】
【０００２】
従来、密閉栓は様々な分野で使用されている。
そして、そのパッキンには、栓体の裏側に設けられ側方を開放部とするセット用凹部に弾嵌着して、止水面に密接する構造になっているものがある（例えば、特許文献１参照）。
【０００３】
この先行技術は、浴槽、洗面器、流し台等の容体の底に設けられた密閉栓（排水栓）用のパッキンであるが、このパッキンＢ１は図４、図５に示すようにセット用凹部５４に、内周面部分を弾嵌着し、外周側下面を排水口部材１の止水面２１に密接させて水頭を受けて止水するようになっており、栓体４がその止水面２１への着座状態を解除して離間すると通水し、着座すると止水する。
先行技術のパッキンＢ１は、図４に示すようにセット用凹部５４の凹部底に内周面部分を弾接させているので、水頭が作用する止水時には、栓蓋軸３４と排水栓機構（例えばスラストロック機構）で支持される支持軸５との間のクリアランスＣを利用して図５に示すように栓蓋１４が若干降下することによって弾性変形して止水する。
これは、水頭による下荷重を受けるためであるが、その下荷重でパッキンＢ１が弾性変形して、パッキンＢ１とセット用凹部５４との両者間において、パッキンＢ１の上部コーナー部のみがセット用凹部５４底に線接触する形態に変化する。
しかしながら、その時、水頭による前記下荷重とパッキンＢ１の弾性変形力とが関係してセット用凹部５４底に線接触するパッキンＢ１のコーナー部分に応力が集中し、その応力集中によってセット用凹部５４底に対する弾接力が不均等になったり、そのコーナー部分に歪みを発生させて、弾接力が弱い箇所や微隙間を形成して、止水性を低下させる原因になってしまう。
【特許文献１】特開平８−３３８０５４号公報
【発明の開示】
【発明が解決しようとする課題】
【０００４】
本発明は上記従来事情に鑑みてなされたもので、その目的とする処は、作用する水圧で発生する応力集中によってセット用凹部底との弾接力に不均等が生じることがなく、優れた止水性を発揮する密閉栓用のパッキンを提供することにある。
更に他の目的とする処は、大きな弾性吸収代で止水範囲が拡大し、低水圧の時の止水性も向上する利便な密閉栓用のパッキンを提供することにある。
【課題を解決するための手段】
【０００５】
前記課題を解決するために講じた技術的手段は、栓体の裏側に設けられ側方を開放部とするセット用凹部に弾嵌着され、止水面に密接して止水するパッキンであって、パッキン本体の内周面にリブを環状をもって突設し、該リブを前記セット用凹部の凹底面に弾接してセット用凹部に弾嵌着することを特徴とするパッキンである（請求項１）。
【０００６】
以上の手段によれば、水圧による負荷荷重を受けると、パッキンがリブを圧縮するように同リブを支点に弾性変形して止水力を増強する。
また、水圧による負荷荷重を受けると、その負荷荷重とそれによるパッキンの変形力とが関係して発生する応力をリブ部分に集中させるが、その応力はリブで吸収する。
【０００７】
そして、リブが円弧状表面を有していると、水圧を受けてパッキンが弾性変形する時、その円弧状表面を有するリブを支点にして変形して、水圧によるパッキンの弾性変形の変化量に関わらず一定の弾接力で止水する（請求項２）。
リブは半円形をもって突設形成されているのが好適である。
【０００８】
更に、栓体が浴槽、洗面器、流し台等の容体の排水口用の密閉栓であると好適なものである（請求項３）。
【０００９】
また、そのリブがパッキン本体の内周面から突設していると、有効なものである（請求項４）。
【００１０】
上記手段によれば、開栓時のパッキンはリブを支点にして図２の二点鎖線の状態（図１の閉栓（水頭が作用していない時）状態と同一）から図２の実線に示すように排水口回りの止水面に対応する周縁部下面部分を最下部とするように下向き傾斜状に変化する。これは、リブが支点となってパッキンがその自重で下向きに傾斜するためである。そのため、閉栓時にはその下向き傾斜状態から止水面に接触して止水を開始し、リブを支点とする下向き傾斜量分、弾性吸収代を拡大する。
【００１１】
そして、そのリブがパッキン本体における内周面の上側域から突設していると、図３（水頭が作用した状態）には、そのリブが強く圧縮されて止水力を増強する（請求項５）。
【００１２】
また、前記栓体がスラストロック機構のロック、ロック解除で開栓、閉栓するものであると好適なものである（請求項６）。
【発明の効果】
【００１３】
本発明は以上のように構成したから下記の利点がある。
（請求項１）パッキン本体の内周面にリブを環状に突設し、該リブを前記セット用凹部の凹底面に弾接してセット用凹部に弾嵌着するので、水圧による負荷荷重を受けても、その負荷荷重とパッキンの弾性変形力とによる応力集中はその弾性変形で、より圧縮されて線接触するリブで吸収して歪みとしてリブ表面に具現しないので、高い止水力を発揮する。
【００１４】
（請求項２）しかも、リブが円弧状表面を有しているので、負荷荷重でパッキンの弾性吸収時の変形量が変化しても、リブのセット用凹部底との線接触状の止水形態に変化がなく、安定した高い止水性を維持できる。
【００１５】
（請求項３、４）栓体が浴槽、洗面器、流し台等の容体の排水口用の密閉栓であって、環状のリブがパッキン本体の内周面から突設していると、開栓時のパッキンがリブを支点にして下向きに傾斜し、閉栓時にその下向き傾斜状態から止水面に軽く接触して止水を開始するので、弾性吸収代が非常に大きくなり、パッキンとしての本来の止水性能の向上に貢献できる。
（請求項５）しかも、そのリブがパッキン本体における内周面の上側域から突設している水頭を受けてパッキンが弾性変形する時、よりリブが圧縮するので、止水性を更に向上することができる。
【発明を実施するための最良の形態】
【００１６】
次に本発明パッキンの実施の形態を図１〜図３に基づいて説明する。
【実施例１】
【００１７】
この実施の形態は、浴槽、洗面器、流し台等の密閉栓（排水栓）に使用するパッキンの使用状態を示している。
符号Ａはその密閉栓、Ｂはパッキンである。
【００１８】
この密閉栓Ａは、図１に示すように、浴槽、洗面器、流し台等の容体ａの底に開口した排水口１００に装着される排水口部材１を容体ａ裏側から締付ナット２で締結し、排水口部材１の内面から求心方向に向かう十字状リブ３１を設け、そのリブ交差部に挿入筒部４１を形成し、該挿入筒部４１に、スラストロック機構１３を内蔵したメカボックス３を抜差し可能に係合し、そのメカボックス３内のスラストロック機構１３で栓体４を開閉可能に支持した構成になっている。
【００１９】
メカボックス３は、その下端側に前記挿入筒部４１の下端に設けた係止凸部４１ａに係脱する係合凹部２３を設け、故意に引抜けば、外れるようになっている。
【００２０】
スラストロック機構１３は、図１に示すように、メカボックス３に上下動可能に挿入される支持軸５の下端外周に固定した固定歯１３ａの上位に回転歯１３ｂを回転可能に遊嵌すると共に、鋸歯状歯１３ｃをメカボックス３の上壁側内面に一体に形成し、メカボックス３の蓋部３３と支持軸５の途中部分に形成した鍔部３５との間に復元用弾機１３ｄを介装し、その下位に回転歯１３ｂの鋸歯状歯１３ｃへの噛合を強くするための弾機１３ｅを介装してあり、操作部（図示せず）に連絡するレリースＬが前記支持軸５の下半部に凹設した下側凹部１５内で支持軸５を押上げることで、固定歯１３ａで押上げられる回転歯１３ｂが鋸歯状歯１３ｃに噛合しロックして開栓し、再度支持軸５を押上げることで回転歯１３ｂの鋸歯状歯１３ｃとの噛合を解除して閉栓する従来から周知の構造のものである。
【００２１】
栓体４は、図１に示すように栓蓋１４裏面から前記支持軸５のガイド用筒部２４を垂設し、そのガイド用筒部２４の底に栓蓋軸３４の上端部を固定すると共に、栓蓋軸３４下端に支持軸５の上半部に凹設した上側凹部２５内面に上下スライド可能に接触するシール材４５を嵌装し、前記ガイド用筒部２４の一回り外側にパッキン用装着筒４４を垂設し、そのパッキン用装着筒４４に側方を開放部とするセット用凹部５４を凹設した構成になっている。
【００２２】
そして、前記栓体４は、前記ガイド用筒部２４内に支持軸５の上端を上下スライド可能に挿入することによって、支持軸５に対して着脱可能になっている。
【００２３】
前記パッキンＢは、図１〜図３に示すように、前記セット用凹部５４に丁度嵌合する程度の肉厚を有する基部ｂ１から外側にその基部ｂ１に比して若干薄肉な延設部ｂ２を延設し、その延設部ｂ２先端下面に止水瘤ｂ３を下向きに膨出させたドーナツ板状を呈するパッキン本体ｂ’のその内周面の上側域にセット用凹部５４底に弾接するリブｂ４を環状に突設形成し、前記止水瘤ｂ３が排水口部材１の鍔部１１の内側においてその鍔部１１よりも一段低く段設した止水面２１に密接して止水するようになっている。
前記リブｂ４は、円弧状表面を有する例えば半円形をもって突設されており、そして突設数は近接関係になっているものであれば平行状に数本設けても構わないものである。
【００２４】
前記止水瘤ｂ３が止水面２１に接触する閉栓時（水頭が作用していない時）の状態で栓蓋軸３４の上端と支持軸５の上端面との間には、図１に示すように従来の密閉栓（排水栓）と同様にクリアランスＣが確保されている。
【００２５】
以上のように構成されている密閉栓Ａは、閉栓時（水頭が作用していない時）は、図１に示す状態である。
この状態から栓体４を上昇させスラストロック機構１３をロックして開栓すると、図２に示すようにパッキンＢはリブｂ４を支点として止水瘤ｂ３を下端とする下向き傾斜状に変化する（図２では、閉栓時（水頭が作用していない時）のパッキン状態を二点鎖線で示す）。
そして、閉栓すると、その止水瘤ｂ３がいち早く止水面２１に接触し始め前記図１に示す状態へと変化する。
この状態から容体ａに貯める水の水頭を受けて、前記クリアランスＣを利用して栓体４は降下しパッキンＢは図３に示す状態まで弾性変形する。
【００２６】
水圧（水頭）を受けると、その負荷荷重とそれによるパッキンＢの弾性変形力とが関係して発生する応力がリブｂ４部分に集中するものの、表面に伝達することなく線接触で圧縮されたリブｂ４内でその応力を吸収することができる。
それ故、支点となって圧縮されるリブｂ４の線接触による高い止水性を持続できる。
【００２７】
また、開栓状態から閉栓状態に移行する時、リブｂ４を支点にして止水瘤ｂ３を下端とする下向きな傾斜状態になっているので、その分、弾性吸収代が大きくなり、低水位を貯水する場合であっても止水が確実である。
そして、貯水量によって止水面２１に密接する止水瘤ｂ３を更に圧縮するようにリブｂ４を支点とするパッキンＢの弾性変形量は変化するものの、円弧状の表面を有する形状（半円形）にしていると、セット用凹部５４底との線接触による止水形態を変化させず、安定した高い止水性を持続することができる。
【００２８】
尚、本実施の形態においては、浴槽、洗面器、流し台等の容体底の密閉栓について言及しているがこれに限定されるものではなく、水圧が側方、下方、斜め等の方向から作用する密閉栓であれば等しく適用できるものであるし、前記リブは、パッキン本体において、その内周面の上側域に制限されるものではなく、内周面において中途域や、水圧や水頭が作用する側とは離れる側に設けても良いものである。
【図面の簡単な説明】
【００２９】
【図１】本実施の形態パッキンを使用した密閉栓の閉栓（水頭が作用していない時）））状態を示す正面断面図。
【図２】同密閉栓の開栓状態を示す正面断面図。
【図３】水頭が作用した状態を示す正面断面図で要部を拡大して示す。
【図４】従来のパッキンを使用した密閉栓の閉栓（水頭が作用していない時）状態を示す正面断面図。
【図５】水頭が作用した状態を示す正面断面図で要部を拡大して示す。
【符号の説明】
【００３０】
Ｂ:パッキン            ｂ’:パッキン本体
Ａ：密閉栓              ４：栓体
５４：セット用凹部      ｂ４：リブ
１３：スラストロック機構
【図１】
2005188699.tif 000003
【図２】
2005188699.tif 000004
【図３】
2005188699.tif 000005
【図４】
2005188699.tif 000006
【図５】
2005188699.tif 000007